(57)【特許請求の範囲】
【請求項１】
自装置と他装置を識別する識別情報及び前記自装置と前記他装置のモードを示すモード情報を格納する記憶部と、
外部と通信する送受信部と、
通信可能な範囲内にある前記自装置と他装置を含む複数の装置同士が前記識別情報と前記モード情報を交換し合う同期処理時に、前記記憶部に格納された前記識別情報及び前記モード情報に基づいて、第１のモード又は第２のモードで前記送受信部を介して前記他装置と通信する制御部を備え、
前記第１のモードでは、前記制御部は前記記憶部内の前記自装置と前記他装置の前記識別情報及び前記モード情報を前記送受信部を介して前記他装置へ送信すると共に、前記他装置からの前記識別情報及び前記モード情報を前記送受信部を介して受信して前記記憶部に格納し、前記同期処理後は外部読み取り装置からの第１の信号を検知する第１の検知期間と前記他装置からの第２の信号を検知する第２の検知期間とを定期的に繰り返し、
前記第２のモードでは、前記制御部は前記他装置からの前記識別情報及び前記モード情報を前記送受信部を介して受信して前記記憶部に格納すると共に、前記記憶部内の前記自装置と前記他装置の前記識別情報及び前記モード情報を前記送受信部を介して前記他装置へ送信し、前記同期処理後は前記第１及び第２の検知期間を含まない省電力状態となり、
前記第２のモードでは、前記制御部は前記同期処理後に前記省電力状態となると、定期的に前記第１のモードの他装置の存在確認のための確認信号を前記送受信部を介して送信する確認処理を行い、前記第１のモードの他装置から前記確認信号に対する返答が得られなくなると前記自装置を前記第１のモードに切り替えることを特徴とする、アクティブ型非接触情報記憶装置。
【請求項２】
前記制御部は、前記第１のモードでは前記第１の検知期間で前記第１の信号を検知すると、前記記憶部に格納された前記自装置と前記他装置の前記識別情報及び前記モード情報を前記送受信部を介して前記外部読み取り装置へ一括送信することを特徴とする、請求項１記載のアクティブ型非接触情報記憶装置。
【請求項３】
前記制御部は、前記第１のモードでは前記同期処理後に新たな他装置が前記自装置と通信可能になると臨時同期処理を行い、前記新たな他装置の識別情報及びモード情報を前記送受信部を介して受信して前記記憶部に格納して前記記憶部内の情報を更新すると共に、更新された情報を前記送受信部を介して前記新たな他装置へ送信し、その後に前記第１及び第２の検知期間を定期的に繰り返すことを特徴とする、請求項１又は２記載のアクティブ型非接触情報記憶装置。
【請求項４】
コンピュータに、記憶部を有するアクティブ型非接触情報記憶装置の処理を実行させるプログラムであって、
通信可能な範囲内にある自装置と他装置を含む複数の装置同士が前記自装置と前記他装置を識別する識別情報と前記自装置と前記他装置のモードを示すモード情報を交換し合う同期処理時に、前記記憶部に格納された前記自装置と前記他装置の識別情報及びモード情報に基づいて、第１のモード又は第２のモードで前記他装置と通信し、
前記第１のモードでは、前記記憶部内の前記自装置と前記他装置の前記識別情報及び前記モード情報を前記他装置へ送信すると共に、前記他装置からの前記識別情報及び前記モード情報を受信して前記記憶部に格納し、前記同期処理後は外部読み取り装置からの第１の信号を検知する第１の検知期間と前記他装置からの第２の信号を検知する第２の検知期間とを定期的に繰り返し、
前記第２のモードでは、前記他装置からの前記識別情報及び前記モード情報を受信して前記記憶部に格納すると共に、前記記憶部内の前記自装置と前記他装置の前記識別情報及び前記モード情報を前記他装置へ送信し、前記同期処理後は前記第１及び第２の検知期間を含まない省電力状態となり、
前記第２のモードでは、前記同期処理後に前記省電力状態となると、定期的に前記第１のモードの他装置の存在確認のための確認信号を送信する確認処理を行い、前記第１のモードの他装置から前記確認信号に対する返答が得られなくなると前記自装置を前記第１のモードに切り替える
処理を前記コンピュータに実行させることを特徴とする、プログラム。
【請求項５】
第１の信号を連続的に送信すると共に、第２の信号を連続的に受信可能な受信待ち状態をとる外部読み取り装置と、
前記外部読み取り装置の通信可能な範囲内で前記外部読み取り装置と通信可能な複数のアクティブ型非接触情報記憶装置を含む情報アクセスシステムであって、
各アクティブ型非接触情報記憶装置は、通信可能な範囲内にある自装置と他装置を含む複数の装置同士が前記自装置と前記他装置を識別する識別情報と前記自装置と前記他装置のモードを示すモード情報を交換し合う同期処理時に、前記自装置の記憶部に格納された前記識別情報及び前記モード情報に基づいて、第１のモード又は第２のモードで前記他装置と通信する制御部を備え、
前記第１のモードでは、前記制御部は前記記憶部内の前記自装置と前記他装置の前記識別情報及び前記モード情報を前記他装置へ送信すると共に、前記他装置からの前記識別情報及び前記モード情報を受信して前記記憶部に格納し、前記同期処理後は前記外部読み取り装置からの第１の信号を検知する第１の検知期間と前記他装置からの第２の信号を検知する第２の検知期間とを定期的に繰り返し、
前記第２のモードでは、前記制御部は前記他装置からの前記識別情報及び前記モード情報を受信して前記記憶部に格納すると共に、前記記憶部内の前記自装置と前記他装置の前記識別情報及び前記モード情報を前記他装置へ送信し、前記同期処理後は前記第１及び第２の検知期間を含まない省電力状態となり、
前記第２のモードでは、前記制御部は前記同期処理後に前記省電力状態となると、定期的に前記第１のモードの他装置の存在確認のための確認信号を送信する確認処理を行い、前記第１のモードの他装置から前記確認信号に対する返答が得られなくなると前記自装置を前記第１のモードに切り替え、
前記外部読み取り装置が送信した前記第１の信号を前記第１のモードのアクティブ型非接触情報記憶装置の制御部が前記第１の検知期間で検知すると、前記外部読み取り装置は当該アクティブ型非接触情報記憶装置の記憶部に格納され一括送信されてくる前記自装置と前記他装置の前記識別情報及び前記モード情報を含む前記第２の信号を受信することを特徴とする、情報アクセスシステム。
【発明の詳細な説明】
【技術分野】
【０００１】
本発明は、アクティブ型非接触情報記憶装置、情報アクセスシステム及びプログラムに関する。
【背景技術】
【０００２】
電池を内蔵するアクティブ型非接触情報記憶装置には、非接触ＩＣ（Integrated Circuit）カード、非接触ＩＣタグ、ＲＦＩＤタグ（Radio Frequency IDentification Tag）等が含まれる。例えばＲＦＩＤタグは、商品に付けられたり、利用者によって携帯され、商品又は利用者に関する情報を所定周波数のＲＦ（Radio Frequency）信号で送信する。ＲＦＩＤタグから送信されたＲＦ信号は、読み取り機能を有するリーダ（Reader）装置により読み取られ、例えばコンピュータ等のホスト装置により処理されて商品の流通又は利用者の行動を監視したり管理したりするのに用いることができる。又、書き込み機能を有するライタ（Writer）装置は、所定の情報を送信してＲＦＩＤタグに書き込むことができる。
【０００３】
電池を内蔵するアクティブ型ＲＦＩＤタグ（Active Radio Frequency IDentification Tag）は、電力を例えば読み取り及び書き込み機能を有するリーダ／ライタ装置から非接触で受け取るパッシブ型（Passive）ＲＦＩＤタグに比べて通信可能距離が比較的長い。しかし、アクティブ型ＲＦＩＤタグは、定期的な自己通信型と、待受通信型とに大別される。自己通信型は、ＲＦＩＤタグに内蔵する時計等により、一定時間毎に通信を行い、それ以外の期間は休止することで電力消費を抑える構成となっている。一方、待受通信型は、通信の起動をＲＦＩＤタグが自ら行わずに例えばリーダ／ライタ装置からの呼出しを待って通信を開始する構成となっている。
【０００４】
待受通信型のＲＦＩＤタグは、リーダ／ライタ装置からの呼出し（電波）を検知するため、常時一定間隔でキャリアセンス（Carrier Sense）を行う構成になっている。キャリアセンスには、リーダ／ライタ装置からの信号を検出する期間と、当該リーダ／ライタ装置と通信可能な範囲内に存在する他のアクティブ型ＲＦＩＤタグからの信号を検出する期間が含まれる。後者のキャリアセンス期間を設けることにより、アクティブ型ＲＦＩＤタグが、他のアクティブ型ＲＦＩＤタグがリーダ／ライタ装置に送信中に、当該リーダ／ライタ装置に送信を開始してＲＦＩＤタグ同士の電波干渉が発生してしまうことを未然に防げる。このように、アクティブ型ＲＦＩＤタグは、リーダ／ライタ装置と通信している時以外も一定間隔でキャリアセンスを行うため、消費電力が比較的大きく、アクティブ型ＲＦＩＤタグ内の電池へ負荷が比較的大きい。
【０００５】
図１は、アクティブ型ＲＦＩＤタグを用いた従来の情報アクセスシステムの一例を説明する図である。情報アクセスシステム１は、リーダ／ライタ（Ｒ／Ｗ）装置２、アンテナ３、及び複数のアクティブ型ＲＦＩＤタグ４−１〜４−３を有する。この例では、説明の便宜上、３個のＲＦＩＤタグ４−１〜４−３が夫々別体である３個の商品９−１〜９−３に付けられており、３個の商品９−１〜９−３が台車５に載置されて搬送されるものとする。各ＲＦＩＤタグ４−１〜４−３は、アンテナ３がカバー可能な範囲（即ち、通信可能範囲）６内に入るとＲ／Ｗ装置２と通信可能となる。台車５は、例えば図１中矢印で示す方向に移動する。
【０００６】
図２は、情報アクセスシステム１の動作の一例を説明するタイミングチャートである。図２中、Ｒ／Ｗ（Ｔｘ）はＲＦＩＤタグ４−１〜４−３を識別するためのタグＩＤ（IDentifier）等の情報を問い合わせるコマンド（又は、ＩＤ問い合わせコマンド）のＲ／Ｗ装置２による送信タイミングを示し、Ｒ／Ｗ（Ｒｘ）はＲ／Ｗ装置２による受信待機タイミング（又は、受信待機状態）を示し、ｆ１は送信周波数を示し、ｆ２は受信周波数を示し、ｆ１≠ｆ２である。又、４−１（Ｔｘ）〜４−３（Ｔｘ）はＲＦＩＤタグ４−１〜４−３によるＲＦ信号の送信タイミングを示し、４−１（Ｒｘ）〜４−３（Ｒｘ）はＲＦＩＤタグ４−１〜４−３による受信タイミングを示し、左下がりのハッチングはＲ／Ｗ装置２からの信号を検出するキャリアセンス期間を示し、右下がりのハッチングは自ＲＦＩＤ以外の他のＲＦＩＤからの信号を検出するキャリアセンス期間を示す。又、Ｒ／Ｗ装置２がＲＦＩＤタグ４−１〜４−３からのタグＩＤ等の情報を受信する受信処理を行っている期間は太線で示す。
【０００７】
図２において、Ｒ／Ｗ装置２とＲＦＩＤタグ４−１〜４−３との通信は、台車５が図１中矢印方向へ移動して各ＲＦＩＤタグ４−１〜４−３が範囲６内にある状態の期間ＴＡ中に行われる。Ｒｘ−１〜Ｒｘ−３は、ＲＦＩＤタグ４−１〜４−３がＲ／Ｗ装置２からＩＤ問い合わせコマンドを受信するタイミングを示し、Ｔｘ−１〜Ｔｘ−３は、ＲＦＩＤタグ４−１〜４−３が夫々のＩＤ情報をＲ／Ｗ装置２に送信するタイミングを示す。
【０００８】
各ＲＦＩＤタグ４−１〜４−３が範囲６内にない待機状態の期間ＴＢ，ＴＣ中、Ｒ／Ｗ装置２とＲＦＩＤタグ４−１〜４−３との通信は行われないが、各ＲＦＩＤタグ４−１〜４−３は一定間隔でキャリアセンスを行っている。このため、各ＲＦＩＤタグ４−１〜４−３の期間ＴＢ，ＴＣ中の消費電力も含めると、期間ＴＢ，ＴＣは期間ＴＡと比較すると長いので、各ＲＦＩＤタグ４−１〜４−３の消費電力は比較的大きい。又、ＲＦＩＤタグの数が増大すると、これに伴い消費電力も増大してしまう。
【先行技術文献】
【特許文献】
【０００９】
【特許文献１】特開２００６−３３８４８９号公報
【発明の概要】
【発明が解決しようとする課題】
【００１０】
従来の情報アクセスシステムでは、アクティブ型ＲＦＩＤタグのようなアクティブ型非接触情報記憶装置の消費電力を抑えることは難しいという問題があった。
【００１１】
そこで、本発明は、消費電力を抑えることのできるアクティブ型非接触情報記憶装置、情報アクセスシステム及びプログラムを提供することを目的とする。
【課題を解決するための手段】
【００１２】
本発明の一観点によれば、自装置と他装置を識別する識別情報及び前記自装置と前記他装置のモードを示すモード情報を格納する記憶部と、外部と通信する送受信部と、通信可能な範囲内にある前記自装置と他装置を含む複数の装置同士が前記識別情報と前記モード情報を交換し合う同期処理時に、前記記憶部に格納された前記識別情報及び前記モード情報に基づいて、第１のモード又は第２のモードで前記送受信部を介して前記他装置と通信する制御部を備え、前記第１のモードでは、前記制御部は前記記憶部内の前記自装置と前記他装置の前記識別情報及び前記モード情報を前記送受信部を介して前記他装置へ送信すると共に、前記他装置からの前記識別情報及び前記モード情報を前記送受信部を介して受信して前記記憶部に格納し、前記同期処理後は外部読み取り装置からの第１の信号を検知する第１の検知期間と前記他装置からの第２の信号を検知する第２の検知期間とを定期的に繰り返し、前記第２のモードでは、前記制御部は前記他装置からの前記識別情報及び前記モード情報を前記送受信部を介して受信して前記記憶部に格納すると共に、前記記憶部内の前記自装置と前記他装置の前記識別情報及び前記モード情報を前記送受信部を介して前記他装置へ送信し、前記同期処理後は前記第１及び第２の検知期間を含まない省電力状態となり、前記第２のモードでは、前記制御部は前記同期処理後に前記省電力状態となると、定期的に前記第１のモードの他装置の存在確認のための確認信号を前記送受信部を介して送信する確認処理を行い、前記第１のモードの他装置から前記確認信号に対する返答が得られなくなると前記自装置を前記第１のモードに切り替えるアクティブ型非接触情報記憶装置が提供される。
【００１３】
本発明の一観点によれば、第１の信号を連続的に送信すると共に、第２の信号を連続的に受信可能な受信待ち状態をとる外部読み取り装置と、前記外部読み取り装置の通信可能な範囲内で前記外部読み取り装置と通信可能な複数のアクティブ型非接触情報記憶装置を含む情報アクセスシステムであって、各アクティブ型非接触情報記憶装置は、通信可能な範囲内にある自装置と他装置を含む複数の装置同士が前記自装置と前記他装置を識別する識別情報と前記自装置と前記他装置のモードを示すモード情報を交換し合う同期処理時に、前記自装置の記憶部に格納された前記識別情報及び前記モード情報に基づいて、第１のモード又は第２のモードで前記他装置と通信する制御部を備え、前記第１のモードでは、前記制御部は前記記憶部内の前記自装置と前記他装置の前記識別情報及び前記モード情報を前記他装置へ送信すると共に、前記他装置からの前記識別情報及び前記モード情報を受信して前記記憶部に格納し、前記同期処理後は前記外部読み取り装置からの第１の信号を検知する第１の検知期間と前記他装置からの第２の信号を検知する第２の検知期間とを定期的に繰り返し、前記第２のモードでは、前記制御部は前記他装置からの前記識別情報及び前記モード情報を受信して前記記憶部に格納すると共に、前記記憶部内の前記自装置と前記他装置の前記識別情報及び前記モード情報を前記他装置へ送信し、前記同期処理後は前記第１及び第２の検知期間を含まない省電力状態となり、前記第２のモードでは、前記制御部は前記同期処理後に前記省電力状態となると、定期的に前記第１のモードの他装置の存在確認のための確認信号を送信する確認処理を行い、前記第１のモードの他装置から前記確認信号に対する返答が得られなくなると前記自装置を前記第１のモードに切り替え、前記外部読み取り装置が送信した前記第１の信号を前記第１のモードのアクティブ型非接触情報記憶装置の制御部が前記第１の検知期間で検知すると、前記外部読み取り装置は当該アクティブ型非接触情報記憶装置の記憶部に格納され一括送信されてくる前記自装置と前記他装置の前記識別情報及び前記モード情報を含む前記第２の信号を受信する情報アクセスシステムが提供される。
【００１４】
本発明の一観点によれば、コンピュータに、記憶部を有するアクティブ型非接触情報記憶装置の処理を実行させるプログラムであって、通信可能な範囲内にある自装置と他装置を含む複数の装置同士が前記自装置と前記他装置を識別する識別情報と前記自装置と前記他装置のモードを示すモード情報を交換し合う同期処理時に、前記記憶部に格納された前記自装置と前記他装置の識別情報及びモード情報に基づいて、第１のモード又は第２のモードで前記他装置と通信し、前記第１のモードでは、前記記憶部内の前記自装置と前記他装置の前記識別情報及び前記モード情報を前記他装置へ送信すると共に、前記他装置からの前記識別情報及び前記モード情報を受信して前記記憶部に格納し、前記同期処理後は外部読み取り装置からの第１の信号を検知する第１の検知期間と前記他装置からの第２の信号を検知する第２の検知期間とを定期的に繰り返し、前記第２のモードでは、前記他装置からの前記識別情報及び前記モード情報を受信して前記記憶部に格納すると共に、前記記憶部内の前記自装置と前記他装置の前記識別情報及び前記モード情報を前記他装置へ送信し、前記同期処理後は前記第１及び第２の検知期間を含まない省電力状態となり、前記第２のモードでは、前記同期処理後に前記省電力状態となると、定期的に前記第１のモードの他装置の存在確認のための確認信号を送信する確認処理を行い、前記第１のモードの他装置から前記確認信号に対する返答が得られなくなると前記自装置を前記第１のモードに切り替える処理を前記コンピュータに実行させるプログラムが提供される。
【発明の効果】
【００１５】
開示のアクティブ型非接触情報記憶装置、情報アクセスシステム及びプログラムによれば、消費電力を抑えることができる。
【図面の簡単な説明】
【００１６】
【図１】アクティブ型ＲＦＩＤタグを用いた従来の情報アクセスシステムの一例を説明する図である。
【図２】情報アクセスシステムの動作の一例を説明するタイミングチャートである。
【図３】本発明の第１実施例におけるリーダ／ライタ装置の構成の一例を示すブロック図である。
【図４】第１実施例におけるＲＦＩＤタグの構成の一例を示すブロック図である。
【図５】第１実施例におけるＲＦＩＤタグの動作の一例を説明するフローチャートである。
【図６】図５に示す同期処理を説明するフローチャートである。
【図７】第１実施例における同期処理を含むＲＦＩＤタグの動作の一例を説明するタイミングチャートである。
【図８】図５に示す臨時同期処理を説明するフローチャートである。
【図９】第１実施例における臨時同期処理を含むＲＦＩＤタグの動作の一例を説明するタイミングチャートである。
【図１０】本発明の第２実施例におけるＲＦＩＤタグの構成の一例を示すブロック図である。
【図１１】第２実施例におけるＲＦＩＤタグの動作の一例を説明するフローチャートである。
【図１２】図１１に示す同期処理を説明するフローチャートである。
【図１３】本発明の第３実施例におけるＲＦＩＤタグの構成の一例を示すブロック図である。
【図１４】第３実施例におけるＲＦＩＤタグの動作の一例を説明するフローチャートである。
【図１５】図１４に示す送信タグ確認処理を説明するフローチャートである。
【図１６】第３実施例における送信タグ確認処理を含むＲＦＩＤタグの動作の一例を説明するタイミングチャートである。
【図１７】ＲＦＩＤタグの構成の他の例を示すブロック図である。
【発明を実施するための形態】
【００１７】
開示のアクティブ型非接触情報記憶装置、情報アクセスシステム及びプログラムでは、アクティブ型非接触情報記憶装置は同期処理時に、記憶部に格納された識別情報及びモード情報に基づいて第１のモード又は第２のモードで他装置と通信する。第１のモードでは、記憶部内の自装置と他装置の識別情報及びモード情報を他装置へ送信すると共に、他装置からの識別情報及びモード情報を受信して記憶部に格納し、同期処理後は外部読み取り装置からの第１の信号を検知する第１の検知期間と他装置からの第２の信号を検知する第２の検知期間とを定期的に繰り返す。一方、第２のモードでは、他装置からの識別情報及びモード情報を受信して記憶部に格納すると共に、記憶部内の自装置と他装置の識別情報及びモード情報を他装置へ送信し、アクティブ型非接触情報記憶装置は同期処理後に信号検知期間を含まない省電力状態となる。
【００１８】
以下に、開示のアクティブ型非接触情報記憶装置、情報アクセスシステム及びプログラムの各実施例を図面と共に説明する。
【実施例】
【００１９】
（第１実施例）
図３は、本発明の第１実施例におけるリーダ／ライタ（Ｒ／Ｗ）装置の構成の一例を示すブロック図である。Ｒ／Ｗ装置は、少なくとも読み取り機能を有し、読み取り機能に加えて書き込み機能を更に有しても良い外部読み取り装置の一例である。図３に示すＲ／Ｗ装置１１は、命令解釈部１１１、コマンド生成部１１２、送信機１１３、アンテナ１１４、記憶部１１５、コマンド処理部１１６、受信機１１７、及びアンテナ１１８を有する。
【００２０】
命令解釈部１１１は、例えばホスト装置（図示せず）等の外部から供給される命令（又は、要求）を記憶部１１５に格納すると共に解釈する。コマンド生成部１１２は、命令解釈部１１１で解釈された命令に基づいて、Ｒ／Ｗ装置１１と後述するＲＦＩＤタグ間で解釈可能なコマンドを生成する。コマンド生成部１１２で生成されたコマンドは、送信機１１３及びアンテナ１１４を介してＲＦＩＤタグに送信される。一方、ＲＦＩＤタグから送信されアンテナ１１８及び受信機１１７を介して受信されたコマンドは、コマンド処理部１１６により解釈され、記憶部１１５に格納されるると共に、例えばホスト装置等の外部へ出力される。
【００２１】
コマンド生成部１１２は、生成したデータを所定の符号化方式に従って符号化しても良い。この場合、送信機１１３は、コマンド生成部１１２からのベースバンドの符号化データでキャリアを変調して周波数ｆ１の信号（例えば、ＩＤ問い合わせコマンド）を送信する。又、受信機１１７は、受信したＲＦ信号を復調してベースバンド符号化データを生成し、受信ＲＦ信号のキャリア強度を表すデータを生成する。更に、コマンド処理部１１６は、受信機１１７からのキャリア強度を表すデータに基づいて受信ＲＦ信号のキャリアの有無と周波数ｆ１又は周波数ｆ２（ｆ１≠ｆ２）を判定すると共に、キャリア強度を表すデータを所定の符号化方式に従って復号して生成した復号データを記憶部１１５に格納すると共にホスト装置へ出力する。
【００２２】
尚、Ｒ／Ｗ装置１１の構成は図３の構成に限定されるものではなく、後述するアクティブ型非接触情報記憶装置（例えば、アクティブ型ＲＦＩＤタグ）と通信可能であり、後述する周波数ｆ１の信号（例えば、ＩＤ問い合わせコマンド）を連続的に送信し、アクティブ型非接触情報記憶装置から周波数ｆ２（ｆ１≠ｆ２）の信号（例えば、ＲＦ信号）を連続的に受信可能な受信待ち状態をとる構成を有するものであれば、特に限定されない。
【００２３】
図４は、第１実施例におけるＲＦＩＤタグの構成の一例を示すブロック図である。ＲＦＩＤタグは、アクティブ型非接触情報記憶装置の一例である。図４に示すＲＦＩＤタグ２１Ａは、ＲＦＩＤタグ２１Ａ内の各部に電力を供給する電池２１１、ＲＦＩＤタグ２１Ａの電源（即ち、電池２１１）からの電力供給をオン又はオフに制御する電源オン／オフスイッチ２１２、同期処理部２１３、送信動作処理部２１４、タグ向けデータ生成部２１５、Ｒ／Ｗ向けデータ生成部２１６、キャリアセンス制御部２１７、動作制御部２１８、タイマ２１９、スリープ動作処理部２２０、コマンド処理部２２１、キャリア判定部２２２、送信機２２３、アンテナ２２４、受信機２２５、及びアンテナ２２６を有する。
【００２４】
同期処理部２１３は、リスト作成部２１３１、リスト記憶部２１３２、乱数発生部２１３３、初期化処理部２１３４、同期処理制御部２１３５、キャリアカウンタ保持部２１３６、ＩＤ送信フラグ保持部２１３７、及び受信処理部２１３８を有する。
【００２５】
キャリアセンス制御部２１７は、タイマ２１９と連携して定期的にキャリアセンスを行う。コマンド処理部２２１は、アンテナ２２６及び受信機２２５を介して受信したコマンドを解釈する。キャリア判定部２２２は、キャリアの周波数が外部のＲ／Ｗ装置１１の送信周波数ｆ１であるか、Ｒ／Ｗ装置１１の受信周波数（即ち、ＲＦＩＤタグ２１Ａの送信周波数）ｆ２であるかを判定する。Ｒ／Ｗ向けデータ生成部２１６は、コマンド処理部２２１の制御下で、Ｒ／Ｗ装置１１の通信プロトコルに適合したデータを生成する。タグ向けデータ生成部２１５は、送信動作処理部２１４の制御下で、他のＲＦＩＤタグ２１Ａの通信プロトコルに適合したデータを生成する。送信機２２３は、Ｒ／Ｗ向けデータ生成部２１６又はタグ向けデータ生成部２１５で生成されたデータをアンテナ２２４を介して送信する。
【００２６】
Ｒ／Ｗ向けデータ生成部２１６及びタグ向けデータ生成部２１５は、いずれも生成したデータを所定の符号化方式に従って符号化しても良い。この場合、送信機２２３は、Ｒ／Ｗ向けデータ生成部２１６又はタグ向けデータ生成部２１５からのベースバンドの符号化データでキャリアを変調して周波数ｆ１又は周波数ｆ２のＲＦ信号を送信する。又、受信機２２５は、受信したＲＦ信号を復調してベースバンド符号化データを生成し、受信ＲＦ信号のキャリア強度を表すデータを生成する。更に、キャリア判定部２２２は、受信機２２５からのキャリア強度を表すデータに基づいて受信ＲＦ信号のキャリアの有無と周波数を判定すると共に、キャリア強度を表すデータを所定の符号化方式に従って復号して復号データを生成する。
【００２７】
動作制御部２１８は、後述する役割リストの情報に基づいてスリープ動作（又は、省電力動作）及び同期処理の分担と管理を行う。スリープ動作及び同期処理については後述する。スリープ動作処理部２２０は、タイマ２１９をモニタし、指定時間までスリープ動作を行う。送信動作処理部２１４は、Ｒ／Ｗ装置１１へのデータ（例えば、ＲＦＩＤタグ２１Ａを識別するための識別情報（例えば、タグＩＤ）を含むＩＤリスト）の送信、及び同期処理時における他のＲＦＩＤタグ２１Ａへのデータ（例えば、ＩＤリスト、役割を含む役割リスト）の送信をリスト記憶部２１３２に格納されたデータに基づいて制御する。
【００２８】
同期処理部２１３内において、初期化処理部２１３４は、同期処理の開始時に後述するＩＤリスト、役割リスト、ＩＤ送信フラグflagTm、キャリアカウンタ値CCnt、他のＲＦＩＤタグ２１Ａの個数ｎ等のパラメータの値を初期化する。同期処理制御部２１３５は、キャリアカウンタ保持部２１３６が保持するキャリアカウンタ値CCntとＩＤ送信フラグ保持部２１３７が保持するＩＤ送信フラグflagTmに基づいて、同期処理の終了判定及びデータ送信タイミングの決定を行う。乱数発生部２１３３は、役割の割り当てに必要な乱数を発生する。受信処理部２１３８は、ＲＦＩＤタグ２１Ａから受信したＩＤリスト及び役割リスト等をリスト記憶部２１３２に格納する。リスト作成部２１３１は、乱数発生部２１３３が発生した乱数に基づいて、各ＲＦＩＤタグ２１Ａに役割を割り当てる。キャリアカウンタ保持部２１３６は、同期処理の終了条件（即ち、キャリアセンスの回数）をカウントしてキャリアカウンタ値CCntを保持する。ＩＤ送信フラグ保持部２１３７は、ＲＦＩＤタグ２１Ａ自身のタグＩＤを他のＲＦＩＤタグ２１Ａに送信したか否かを示すＩＤ送信フラグflagTmを保持する。キャリアカウンタ保持部２１３６のキャリアカウンタ値CCntは、キャリアセンスを指定回数（例えば、１００回）行ってキャリアを検知できなかった場合に同期処理を終了するのに用いられる。
【００２９】
本実施例における情報アクセスシステムは、図１の情報アクセスシステム１と同様に、Ｒ／Ｗ装置、アンテナ、及び複数のアクティブ型ＲＦＩＤタグを有する構成であっても良いので、その図示及び説明は省略する。ただし、本実施例では、Ｒ／Ｗ装置２の代わりに図３のＲ／Ｗ装置１１が用いられ、複数のアクティブ型ＲＦＩＤタグ４−１〜４−３の代わりに図４のアクティブ型ＲＦＩＤタグ２１Ａと同一構成を有する複数のアクティブ型ＲＦＩＤタグ２１Ａ−１〜２１Ａ−３が用いられる。以下の例では、説明の便宜上、３個のＲＦＩＤタグ２１Ａ−１〜２１Ａ−３が夫々図１の３個の商品９−１〜９−３に相当する商品に付けられて、これらの商品が台車５に相当する台車に載置されて搬送されるものとする。又、各ＲＦＩＤタグ２１Ａ−１〜２１Ａ−３は、図１のアンテナ３に相当するアンテナがカバー可能な範囲（図１の範囲６に相当）内に入るとＲ／Ｗ装置１１と通信可能となるものとする。
【００３０】
図５は、第１実施例における１つのＲＦＩＤタグの動作の一例を説明するフローチャートである。図５の処理は、ＲＦＩＤタグ２１Ａの電源オン／オフスイッチ２１２がオンにされて電源が投入されると開始される。ステップＳ１では、動作制御部２１８が時間Ｔｓを管理するタイマ２１９を起動するタイマスタート処理を行う。ステップＳ２では、同期処理部２１３が図６と共に後述する同期処理を行う。同期処理では、通信可能な範囲内にある複数のＲＦＩＤタグ２１Ａ同士がタグＩＤ及び役割に関する情報を交換し合う。役割には、代表とスリープが含まれる。役割が代表のＲＦＩＤタグ２１Ａは、ＩＤ問い合わせコマンドに応答して自身及び他のＲＦＩＤタグ２１ＡのタグＩＤを含む情報をＲ／Ｗ装置１１に送信（即ち、返答）する第１のモード（以下、アクティブモード又は送信モードと言う）を有する。役割がスリープのＲＦＩＤタグ２１Ａは、代表以外のＲＦＩＤタグ２１Ａであり、ＩＤ問い合わせコマンドに応答することはなく、タグＩＤを含む情報をＲ／Ｗ装置１１に送信せずに消費電力を極力抑える第２のモード（以下、省電力モード又はスリープモードと言う）を有する。送信モードのＲＦＩＤタグ２１Ａは、Ｒ／Ｗ装置１１からの信号を検出するキャリアセンス期間と、自ＲＦＩＤタグ２１Ａ以外の他のＲＦＩＤタグ２１Ａからの信号を検出するキャリアセンス期間を有する。一方、スリープモードのＲＦＩＤタグ２１Ａは、同期処理時に他のＲＦＩＤタグ２１Ａとの情報交換を行った後は、Ｒ／Ｗ装置１１からの信号を検出するキャリアセンス期間も、自ＲＦＩＤタグ２１Ａ以外の他のＲＦＩＤタグ２１Ａからの信号を検出するキャリアセンス期間も有さず、次の同期処理までは消費電力を極力抑えるスリープ動作を行うので、送信モードのＲＦＩＤタグ２１Ａと比較すると消費電力が大幅に抑えられる。
【００３１】
ステップＳ３では、動作制御部２１８がリスト記憶部２１３２に格納されたデータに基づいて、ＲＦＩＤタグ２１Ａの役割がスリープであるか、或いは、代表であるかを判定する。つまり、ステップＳ３では、リスト記憶部２１３２に格納されているＲＦＩＤタグ２１Ａ自身の役割を参照することで、ＲＦＩＤタグ２１Ａの動作モードがスリープモードであるか、或いは、送信モードであるかを判定する。ステップＳ３の判定の結果、ＲＦＩＤタグ２１Ａがスリープモードであると、ステップＳ４では、スリープ動作処理部２２０が所定期間（例えば、１０時間）ＲＦＩＤタグ２１Ａをスリープモードで待機させ、待機後に処理はステップＳ１へ戻る。
【００３２】
一方、ステップＳ３の判定の結果、ＲＦＩＤタグ２１Ａが送信モードであると、ステップＳ５では、動作制御部２１８が同期処理後のＲＦＩＤタグ２１Ａを所定時間（例えば、５００ｍｓ）待機させる。この所定時間の後、ステップＳ６では、キャリアセンス制御部２１７がアンテナ２２６及び受信機２２５を介して周波数ｆ１及び周波数ｆ２でキャリアセンスを行う。Ｒ／Ｗ装置１１からの信号を検出するキャリアセンス期間では周波数ｆ１でキャリアセンスを行い、自ＲＦＩＤタグ２１Ａ以外の他のＲＦＩＤタグ２１Ａからの信号を検出するキャリアセンス期間では周波数ｆ２でキャリアセンスを行う。ステップＳ７では、キャリア判定部２２２がキャリアセンスでキャリアが検知されたか否かと、検知されたキャリアの周波数がｆ１であるかｆ２であるかを判定する。ステップＳ７の判定の結果、キャリアが検知されないと処理はステップＳ１０へ進む。ステップＳ７の判定の結果、周波数ｆ１のキャリアが検知されると、ステップＳ８では、コマンド処理部２２１が周波数ｆ１のキャリアの受信処理及びＲ／Ｗ装置１１から受信したＩＤ問い合わせコマンドを処理するＲ／Ｗコマンド処理を行い、処理はステップＳ１０へ進む。又、ステップＳ７の判定の結果、周波数ｆ２のキャリアが検知されると、ステップＳ９では、コマンド処理部２２１が図８と共に後述する臨時同期処理を行い、処理はステップＳ１０へ進む。ステップＳ１０では、動作制御部２１８が予め設定された時間Ｔｅからタイマ２１９で管理されている時間Ｔｓを減算した差が所定期間（例えば、１０時間）未満であるか否か、即ち、Ｔｅ−Ｔｓ＜１０ｈであるか否かを判定する。ステップＳ１０の判定結果がＹＥＳであると、処理はステップＳ５へ戻る。一方、ステップＳ１０の判定結果がＮＯであると、処理はステップＳ１へ戻る。
【００３３】
図６は、図５に示すステップＳ２の同期処理を説明するフローチャートである。ステップＳ１１では、同期処理部２１３の初期化処理部２１３４が同期処理に関する初期化処理を行う。この初期化処理により、ＩＤリストがtag_ID[n-1]=0x0023、役割リストがtag_work[n-1]=work、ＩＤ送信フラグflagTmがflagTm=FALSE、キャリアカウンタ値CCntがCCnt=0、及び他のＲＦＩＤタグ２１Ａの個数がn=1に初期化される。役割リスト中、役割がtag_work[n-1]=workであるとＲＦＩＤタグ２１Ａの役割が後述する代表であることを示し、tag_work[n-1]=sleepであるとＲＦＩＤタグ２１Ａの役割が後述するスリープであることを示す。又、ＩＤ送信フラグflagTmがflagTm=FALSEであるとＲＦＩＤタグ２１Ａ自身のタグＩＤを他のＲＦＩＤタグ２１Ａに送信していないことを示し、flagTm=TRUEであるとＲＦＩＤタグ２１Ａ自身のタグＩＤを他のＲＦＩＤタグ２１Ａに送信したことを示す。リスト記憶部２１３２には、初期化されたＩＤリストのタグＩＤ0x0023及び役割リストの役割workが格納される。ステップＳ１２では、キャリアセンス制御部２１７がアンテナ２２６及び受信機２２５を介して周波数ｆ２でキャリアセンスを行う。ステップＳ１２の後、ステップＳ１３〜Ｓ１６の処理と、ステップＳ１７〜Ｓ２１の処理が並行に行われる。
【００３４】
ステップＳ１３では、キャリア判定部２２２が周波数ｆ２のキャリアを検知したか否かを判定し、判定結果がＹＥＳであると処理はステップＳ１４へ進み、判定結果がＮＯであると処理はステップＳ１７へ進む。ステップＳ１４では、受信処理部２１３８が受信したキャリアに基づいて、他のＲＦＩＤタグ２１Ａの個数ｎ、ＩＤリスト、役割リスト、タイマ情報を受信すると共に、これらの情報をリスト記憶部２１３２に格納してこれらの情報を更新する。ステップＳ１５では、リスト作成部２１３１がＩＤ・役割リストからランダムにＲＦＩＤタグ２１Ａの役割配分を決定し、決定内容をリスト記憶部２１３２に格納する。例えば、決定された役割配分tag_work[n-1]=sleep; tag_work[n]=workがリスト記憶部２１３２に格納される。ステップＳ１６では、同期処理制御部２１３５がキャリアカウンタ値CCntをCCnt=0に設定してキャリアカウンタ保持部２１３６に格納し、処理はステップＳ１２へ戻る。
【００３５】
一方、ステップＳ１７では、同期処理制御部２１３５がＩＤ送信フラグ保持部２１３７に保持されているＩＤ送信フラグflagTmがＲＦＩＤタグ２１Ａ自身のタグＩＤを他のＲＦＩＤタグ２１Ａに送信したことを示すTRUEであるか否かを判定し、判定結果がＹＥＳであると処理はステップＳ２０へ進み、判定結果がＮＯであると処理はステップＳ１８へ進む。ステップＳ１８では、送信動作処理部２１４が他のＲＦＩＤタグ２１Ａの個数ｎ、ＩＤリストtag_ID、役割リストtag_work、タイマ情報を一定時間（例えば、５００ｍｓ）タグ向けデータ生成部２１５、送信機２２３及びアンテナ２２４を介して送信する。ステップＳ１９では、同期処理制御部２１３５がＩＤ送信フラグflagTmをflagTm=TRUEに設定する。ステップＳ２０では、同期処理制御部２１３５がキャリアカウンタ保持部２１３６に保持されたキャリアカウンタ値CCntを１だけインクリメントしてCCnt++（又は、CCnt=CCnt+1）に更新する。ステップＳ２１では、同期処理制御部２１３５がキャリアカウンタ保持部２１３６に保持されたキャリアカウンタ値CCntがCCnt<100であるか否かを判定する。ステップＳ２１の判定結果がＹＥＳであると処理はステップＳ１２へ戻り、判定結果がＮＯであると処理は終了する。
【００３６】
図７は、第１実施例における同期処理を含むＲＦＩＤタグの動作の一例を説明するタイミングチャートである。図７中、Ｒ／Ｗ（Ｔｘ）はＲ／Ｗ装置１１による例えばＩＤ問い合わせコマンドの送信タイミングを示し、Ｒ／Ｗ（Ｒｘ）はＲ／Ｗ装置１１による受信待機タイミング（又は、受信待機状態）を示し、ｆ１は送信周波数を示し、ｆ２は受信周波数を示し、ｆ１≠ｆ２である。又、２１Ａ−１（Ｔｘ）〜２１Ａ−３（Ｔｘ）はＲＦＩＤタグ２１Ａ−１〜２１Ａ−３によるＲＦ信号の送信タイミングを示し、２１Ａ−１（Ｒｘ）〜２１Ａ−３（Ｒｘ）はＲＦＩＤタグ２１Ａ−１〜２１Ａ−３による受信タイミングを示し、左下がりのハッチングはＲ／Ｗ装置１１からのＩＤ問い合わせコマンド等の信号を検出するキャリアセンス期間を示し、右下がりのハッチングは自ＲＦＩＤタグ２１Ａ以外の他のＲＦＩＤタグ２１Ａからの信号を検出するキャリアセンス期間を示す。又、Ｒ／Ｗ装置１１及び各ＲＦＩＤタグ２１Ａ−１〜２１Ａ−３がタグＩＤ等の情報を受信する受信処理は太線で示す。この例では、説明の便宜上、最初の同期処理Sync1を行う時にはＲＦＩＤタグ２１Ａ−１の役割（又は、モード）が代表（又は、送信モード）であり、その他のＲＦＩＤタグ２１Ａ−２，２１Ａ−３の役割（又は、モード）がスリープ（又は、スリープモード）であるものとする。更に、次の同期処理Sync2を行う時にはＲＦＩＤタグ２１Ａ−２の役割が代表であり、その他のＲＦＩＤタグ２１Ａ−１，２１Ａ−３の役割がスリープであるものとする。
【００３７】
図７に示す同期処理Sync1おいて、ｔ１，ｔ２は役割が代表のＲＦＩＤタグ２１Ａ−１が自身のタグＩＤ、役割を含む情報を他のＲＦＩＤタグ２１Ａ−２，２１Ａ−３に送信するタイミングを示し、ｔ３，ｔ４は役割がスリープのＲＦＩＤタグ２１Ａ−２がＲＦＩＤタグ２１−１，２１−２のタグＩＤ、役割を含む情報を他のＲＦＩＤタグ２１Ａ−１，２１Ａ−３に送信するタイミングを示し、ｔ５，ｔ６は役割がスリープのＲＦＩＤタグ２１Ａ−３がＲＦＩＤタグ２１Ａ−１，２１Ａ−２，２１Ａ−３のタグＩＤ、役割を含む情報を他のＲＦＩＤタグ２１Ａ−２，２１Ａ−１に送信するタイミングを示す。ＣＳは同期処理Sync1後に代表のＲＦＩＤタグ２１Ａ−１が待機する所定時間（例えば、５００ｍｓ）を示し、ＳＭは同期処理Sync1後のスリープのＲＦＩＤタグ２１Ａ−２，２１Ａ−３がスリープモードで待機する所定期間（例えば、１０時間）を示す。所定時間ＣＳの後、代表のＲＦＩＤタグ２１Ａ−１のみが定期的にキャリアセンスを行う。従って、所定期間ＳＭの開始から所定時間ＣＳ後、代表のＲＦＩＤタグ２１Ａ−１はＲ／Ｗ装置１１からの信号を検出するキャリアセンス期間（図７中、左下がりのハッチングで示す）と、自ＲＦＩＤタグ２１Ａ−１以外の他のＲＦＩＤタグ２１Ａ−２，２１Ａ−３からの信号を検出するキャリアセンス期間（図７中、右下がりのハッチングで示す）を定期的に繰り返す。一方、所定期間ＳＭの間、スリープのＲＦＩＤタグ２１Ａ−２，２１Ａ−３はスリープ動作を行い、キャリアセンスは行わないので省電力状態にある。
【００３８】
この例では、ｔ７は代表のＲＦＩＤタグ２１Ａ−１がＲ／Ｗ装置１１からのＩＤ問い合わせコマンドを受信するタイミングを示し、ｔ８は代表のＲＦＩＤタグ２１Ａ−１が代表のＲＦＩＤタグ２１Ａ−１のタグＩＤと代表のＲＦＩＤタグ２１Ａ−１と通信可能な全てのＲＦＩＤタグ２１Ａ−２，２１Ａ−３のタグＩＤをＲ／Ｗ装置１１へ一括送信するタイミングを示し、ｔ９は代表のＲＦＩＤタグ２１Ａ−１がＲ／Ｗ装置１１からのＩＤ問い合わせコマンドを受信するタイミングを示す。
【００３９】
図７に示す同期処理Sync2おいて、ｔ１１，ｔ１２は役割が代表のＲＦＩＤタグ２１Ａ−２が自身のタグＩＤ、役割を含む情報を他のＲＦＩＤタグ２１Ａ−１，２１Ａ−３に送信するタイミングを示し、ｔ１３，ｔ１４は役割がスリープのＲＦＩＤタグ２１Ａ−３がＲＦＩＤタグ２１Ａ−２，２１Ａ−３のタグＩＤ、役割を含む情報を他のＲＦＩＤタグ２１Ａ−１，２１Ａ−２に送信するタイミングを示し、ｔ１５，ｔ１６は役割がスリープのＲＦＩＤタグ２１Ａ−１がＲＦＩＤタグ２１Ａ−１，２１Ａ−２，２１Ａ−３のタグＩＤ、役割を含む情報を他のＲＦＩＤタグ２１Ａ−２，２１Ａ−３に送信するタイミングを示す。ＣＳは同期処理Sync2後に代表のＲＦＩＤタグ２１Ａ−２が待機する所定時間（例えば、５００ｍｓ）を示す。図７では図示を省略するが、同期処理Sync2の後、スリープのＲＦＩＤタグ２１Ａ−１，２１Ａ−３が所定期間（例えば、１０時間）ＳＭの間スリープモードで待機する。所定時間ＣＳの後、代表のＲＦＩＤタグ２１Ａ−２のみが定期的にキャリアセンスを行う。従って、所定期間ＳＭの開始から所定時間ＣＳ後、代表のＲＦＩＤタグ２１Ａ−２はＲ／Ｗ装置１１からの信号を検出するキャリアセンス期間（図７中、左下がりのハッチングで示す）と、自ＲＦＩＤタグ２１Ａ−２以外の他のＲＦＩＤタグ２１Ａ−１，２１Ａ−３からの信号を検出するキャリアセンス期間（図７中、右下がりのハッチングで示す）を有する。一方、所定期間ＳＭの間、スリープのＲＦＩＤタグ２１Ａ−１，２１Ａ−３はスリープ動作を行い、キャリアセンスは行われない。以下、同様にして同期処理が定期的に行われ、同期処理後の所定期間は代表のＲＦＩＤタグ２１Ａのみがキャリアセンスを定期的に行う。
【００４０】
図８は、図５に示す臨時同期処理を説明するフローチャートである。ステップＳ２５では、受信処理部２１３８が追加されたＲＦＩＤタグ２１ＡからＩＤリスト、役割リスト、タイマ情報、個数ｎをアンテナ２２６、受信機２２５及びキャリア判定部２２２を介して受信し、リスト記憶部２１３２の内容を更新する。又、追加されたＲＦＩＤタグ２１Ａの役割はスリープに設定する。
【００４１】
ステップＳ２６では、キャリアセンス制御部２１７が周波数ｆ２でキャリアセンスを行う。ステップＳ２７では、キャリア判定部２２２が周波数ｆ２のキャリアを検知したか否かを判定し、判定結果がＹＥＳであると処理はステップＳ２５へ進み、判定結果がＮＯであると処理はステップＳ２８へ進む。ステップＳ２８では、送信動作処理部２１４が追加されたＲＦＩＤタグ２１Ａの情報を追加（又は、追記）したＩＤ・役割リストをタグ向けデータ生成部２１５、送信機２２３及びアンテナ２２４を介して送信し、処理は終了する。
【００４２】
図９は、第１実施例における臨時同期処理を含むＲＦＩＤタグの動作の一例を説明するタイミングチャートである。図９中、図７と同一部分には同一符号を付し、その説明は省略する。図９では説明の便宜上、ＲＦＩＤタグ２１Ａ−２が情報アクセスシステムから削除され（或いは、代表のＲＦＩＤタグ２１Ａ−１と通信不能となり）、且つ、代表ＲＦＩＤタグ２１−Ａと通信可能なＲＦＩＤタグ２１Ａ−４が情報アクセスシステムに新たに追加された場合を示す。又、図９では、図７の同期処理Sync1後の所定期間ＳＭ中に臨時同期処理SSyncが行われ、所定期間ＳＭ２後の次の同期処理Sync2を行う時にはＲＦＩＤタグ２１Ａ−４の役割が代表であり、その他のＲＦＩＤタグ２１Ａ−１，２１Ａ−３の役割がスリープであるものとする。
【００４３】
図９に示す臨時同期処理SSyncおいて、ｔ２１は追加されたＲＦＩＤタグ２１Ａ−４が自身のタグＩＤ、役割を含む情報を代表のＲＦＩＤタグ２１Ａ−１に送信するタイミングを示し、これにより代表のＲＦＩＤタグ２１Ａ−１では削除されたＲＦＩＤタグ２１Ａ−２の代わりに追加されたＲＦＩＤタグ２１Ａ−４の情報が格納される。タイミングｔ２１でＲＦＩＤタグ２１Ａ−４から代表のＲＦＩＤタグ２１Ａ−１に送信される役割の情報は、例えば仮にスリープに設定されている。ｔ２２は役割が代表のＲＦＩＤタグ２１Ａ−１がＲＦＩＤタグ２１Ａ−１，２１Ａ−３，２１Ａ−４のタグＩＤ、役割を含む情報を追加されたＲＦＩＤタグ２１Ａ−４に送信するタイミングを示す。タイミングｔ２２で代表のＲＦＩＤタグ２１Ａ−１が送信するＲＦＩＤタグ２１Ａ−４の役割は、代表のＲＦＩＤタグ２１Ａ−１によりスリープに決定されている。
【００４４】
臨時同期処理SSync後の所定期間ＳＭ２において、ｔ２３は代表のＲＦＩＤタグ２１Ａ−１がＲ／Ｗ装置１１からのＩＤ問い合わせコマンドを受信するタイミングを示し、ｔ２４は代表のＲＦＩＤタグ２１Ａ−１が代表のＲＦＩＤタグ２１Ａ−１のタグＩＤと代表のＲＦＩＤタグ２１Ａ−１と通信可能な全てのＲＦＩＤタグ２１Ａ−３，２１Ａ−４のタグＩＤをＲ／Ｗ装置１１へ一括送信するタイミングを示す。所定期間ＳＭ２の間、スリープのＲＦＩＤタグ２１Ａ−３，２１Ａ−４はスリープ動作を行い、キャリアセンスは行わない。
【００４５】
図９に示す同期処理Sync2Aおいて、ｔ２５，ｔ２６は役割が代表のＲＦＩＤタグ２１Ａ−４が自身のタグＩＤ、役割を含む情報を他のＲＦＩＤタグ２１Ａ−１，２１Ａ−３に送信するタイミングを示し、ｔ２７，ｔ２８は役割がスリープのＲＦＩＤタグ２１Ａ−３がＲＦＩＤタグ２１Ａ−３，２１Ａ−４のタグＩＤ、役割を含む情報を他のＲＦＩＤタグ２１Ａ−４，２１Ａ−１に送信するタイミングを示し、ｔ２９，ｔ３０は役割がスリープのＲＦＩＤタグ２１Ａ−１がＲＦＩＤタグ２１Ａ−１，２１Ａ−３，２１Ａ−４のタグＩＤ、役割を含む情報を他のＲＦＩＤタグ２１Ａ−４，２１Ａ−３に送信するタイミングを示す。同期処理Sync2Aにより、ＲＦＩＤタグ２１Ａ−１，２１Ａ−３，２１Ａ−４のリスト記憶部２１３２内の情報が、追加されたＲＦＩＤタグ２１Ａ−４の情報を含む更新されたタグＩＤ、役割を含む情報に更新される。ＣＳは同期処理Sync2A後に代表のＲＦＩＤタグ２１Ａ−４が待機する所定時間（例えば、５００ｍｓ）を示す。
【００４６】
図９では図示を省略するが、同期処理Sync2Aの後、スリープのＲＦＩＤタグ２１Ａ−１，２１Ａ−３が所定期間（例えば、１０時間）ＳＭの間スリープモードで待機する。所定時間ＣＳの後、代表のＲＦＩＤタグ２１Ａ−４のみが定期的にキャリアセンスを行う。従って、所定期間ＳＭの開始から所定時間ＣＳ後、代表のＲＦＩＤタグ２１Ａ−２はＲ／Ｗ装置１１からの信号を検出するキャリアセンス期間（図９中、左下がりのハッチングで示す）と、自ＲＦＩＤタグ２１Ａ−４以外の他のＲＦＩＤタグ２１Ａ−１，２１Ａ−３からの信号を検出するキャリアセンス期間（図９中、右下がりのハッチングで示す）を有する。一方、所定期間ＳＭの間、スリープのＲＦＩＤタグ２１Ａ−１，２１Ａ−３はスリープ動作を行い、キャリアセンスは行われない。以下、同様にして同期処理が定期的に行われ、同期処理後の所定期間は代表のＲＦＩＤタグ２１Ａのみがキャリアセンスを定期的に行う。
【００４７】
このように、臨時同期処理を行うことで、情報アクセスシステム内で代表以外のＲＦＩＤタグが削除されたり追加されたりしても、代表のＲＦＩＤタグが自身と通信可能な他のＲＦＩＤタグの情報を集中管理することができる。
【００４８】
（第２実施例）
図１０は、本発明の第２実施例におけるＲＦＩＤタグの構成の一例を示すブロック図である。図１０中、図４と同一部分には同一符号を付し、その説明は省略する。
【００４９】
図１０に示すように、本実施例ではＲＦＩＤタグ２１Ｂが温度センサ２３１、センサ制御部２３２及びセンサデータ記憶部２３３を有する。又、電源オン／オフスイッチ２１２Ａ、送信動作処理部２１４Ａ、及びリスト記憶部２１３２Ａは、上記第１実施例の電源オン／オフスイッチ２１２、送信動作処理部２１４、及びリスト記憶部２１３２と一部異なる動作を行う。
【００５０】
温度センサ２３１は、ＲＦＩＤタグ２１Ｂの環境温度を検知し、検知された温度を示すセンサデータを出力する。センサ制御部２３２は、電源オン／オフスイッチ２１２Ａがオンにされると、温度センサ２３１の初期化を制御する。センサ制御部２３２は、温度センサ２３１のスタート及びストップを制御しても良い。センサデータ記憶部２３３は、センサデータをＲＦＩＤタグ２１ＢのタグＩＤと時間情報とに関連付けてセンサログとして格納する。送信動作処理部２１４Ａは、Ｒ／Ｗ装置１１へのデータ（例えば、ＲＦＩＤタグ２１Ｂを識別するための識別情報（例えば、タグＩＤ）を含むＩＤリスト）の送信、及び同期処理時における他のＲＦＩＤタグ２１Ｂへのデータ（例えば、ＩＤリスト、役割を含む役割リスト）の送信をセンサデータ記憶部２３３に格納されたセンサログ及びリスト記憶部２１３２Ａに格納されたデータに基づいて制御する。
【００５１】
尚、温度センサ２３１の代わりに、ＲＦＩＤタグ２１Ｂの環境温度以外の環境パラメータ、例えば、湿度、光量、音量等を検知するセンサを用いても良い。ＲＦＩＤタグ２１Ｂは、記憶部２１３２Ａ，２３３に格納された情報をＲ／Ｗ装置１１に送信できるので、Ｒ／Ｗ装置１１はＩＤ問い合わせコマンドに応答して各ＲＦＩＤタグ２１ＢのタグＩＤ以外の環境パラメータ等の各種情報を取得することもできる。
【００５２】
図１１は、第２実施例における１つのＲＦＩＤタグの動作の一例を説明するフローチャートである。図１１中、図５と同一ステップには同一符号を付し、その説明は省略する。
【００５３】
図１１の処理は、ＲＦＩＤタグ２１Ｂの電源オン／オフスイッチ２１２Ａがオンにされて電源が投入されると開始される。この例では、センサ制御部２３２は電源オン／オフスイッチ２１２Ａがオンにされると温度センサ２３１をスタートし、オフにされるとストップするものとする。ステップＳ３１では、センサ制御部２３２が温度センサ２３１の初期化を行い、処理はステップＳ１へ進む。ステップＳ１以降の動作は、上記第１実施例の場合と同様である。
【００５４】
図１２は、図１１に示す同期処理を説明するフローチャートである。図１２中、図６と同一ステップには同一符号を付し、その説明は省略する。
【００５５】
図１２において、ステップＳ１１が行われることにより、リスト記憶部２１３２Ａには、初期化されたＩＤリストのタグＩＤ0x0023及び役割リストの役割workが格納される。ステップＳ１４Ａでは、受信処理部２１３８が受信したキャリアに基づいて、他のＲＦＩＤタグ２１Ｂの個数ｎ、ＩＤリスト、役割リスト、タイマ情報、センサログを受信すると共に、これらの情報をリスト記憶部２１３２Ａに格納してこれらの情報を更新する。又、ステップＳ１８Ａでは、送信動作処理部２１４Ａが他のＲＦＩＤタグ２１Ｂの個数ｎ、ＩＤリストtag_ID、役割リストtag_work、タイマ情報、センサログを一定時間（例えば、５００ｍｓ）タグ向けデータ生成部２１５、送信機２２３及びアンテナ２２４を介して送信する。
【００５６】
第２実施例における同期処理を含むＲＦＩＤタグの動作の一例を説明するタイミングチャートは、図７と同じになるので、その図示及び説明は省略する。
【００５７】
又、第２実施例のおける臨時同期処理を説明するフローチャートは、図８と同じになるので、その図示及び説明は省略する。
【００５８】
更に、第２実施例における臨時同期処理を含むＲＦＩＤタグの動作の一例を説明するタイミングチャートは、図９と同じになるので、その図示及び説明は省略する。
【００５９】
（第３実施例）
図１３は、本発明の第３実施例におけるＲＦＩＤタグの構成の一例を示すブロック図である。図１３中、図４と同一部分には同一符号を付し、その説明は省略する。
【００６０】
図１３に示すように、本実施例ではＲＦＩＤタグ２１Ｃがキャリアカウンタ保持部２４１及び送信タグ確認動作処理部２４２を有する。又、送信動作処理部２１４Ｂ、キャリアセンス制御部２１７Ｂ及びスリープ動作処理部２２０Ｂが上記第１実施例の送信動作処理部２１４、キャリアセンス制御部２１７及びスリープ動作処理部２２０と一部異なる動作を行う。
【００６１】
キャリアカウンタ保持部２４１は、ＩＤ送信フラグflagTmを確認する送信タグ確認動作の終了条件（即ち、キャリアセンスの回数）をカウントしてキャリアカウンタ値CCnt2を保持する。送信タグ確認動作処理部２４２は、ＲＦＩＤタグ２１Ｃの周囲に、このＲＦＩＤタグ２１Ｃと通信可能で送信モードの他のＲＦＩＤタグ２１Ｃ、即ち、送信タグが存在するか否かを確認する。
【００６２】
図１４は、第３実施例における１つのＲＦＩＤタグの動作の一例を説明するフローチャートである。図１４中、図５と同一ステップには同一符号を付し、その説明は省略する。
【００６３】
図１４において、ステップＳ３の判定の結果、ＲＦＩＤタグ２１Ｃがスリープモードであると、ステップＳ４１では、スリープ動作処理部２２０Ｂが後述する送信タグの存在確認のための確認信号を送信する送信タグ確認処理を行い、その後処理はステップＳ１へ戻る。
【００６４】
第３実施例のける同期処理を説明するフローチャートは、図６と同じになるので、その図示及び説明は省略する。
【００６５】
第３実施例における同期処理を含むＲＦＩＤタグの動作の一例を説明するタイミングチャートは、図７と同じになるので、その図示及び説明は省略する。
【００６６】
又、第３実施例における臨時同期処理を説明するフローチャートは、図８と同じになるので、その図示及び説明は省略する。
【００６７】
更に、第３実施例における臨時同期処理を含むＲＦＩＤタグの動作の一例を説明するタイミングチャートは、図９と同じになるので、その図示及び説明は省略する。
【００６８】
図１５は、図１４に示す送信タグ確認処理を説明するフローチャートである。図１５において、ステップＳ５１では、動作制御部２１８が予め設定された時間Ｔｗからタイマ２１９で管理されている時間Ｔｓを減算した差が所定期間（例えば、１０−１＝９時間）未満であるか否か、即ち、Ｔｗ−Ｔｓ＜９ｈであるか否かを判定する。ステップＳ５１の判定結果がＹＥＳであると処理はステップＳ５２へ進み、判定結果がＮＯであると処理は後述するステップＳ６２へ進む。ステップＳ５２では、送信タグ確認動作処理部２４２がキャリアカウンタ保持部２４１のキャリアカウンタ値CCnt2をCCnt2=0に初期化する。ステップＳ５３では、スリープ動作処理部２２０ＢがＲＦＩＤタグ２１Ｃを一定時間（例えば、１時間）スリープモードで待機させ、待機後に処理はステップＳ５４へ進む。
【００６９】
ステップＳ５４では、キャリアセンス制御部２１７Ｂがアンテナ２２６及び受信機２２５を介して周波数ｆ１でキャリアセンスを行う。ステップＳ５５では、キャリア判定部２２２がキャリアセンスで周波数ｆ１のキャリアが検知されたか否かを判定する。ステップＳ５５の判定結果がＹＥＳであると、処理はステップＳ５４へ戻る。一方、ステップＳ５５の判定結果がＮＯであると、ステップＳ５６では、送信動作処理部２１４Ｂが所定時間（例えば、５００ｍｓ）周波数ｆ２のキャリアをタグ向けデータ生成部２１５、送信機２２３及びアンテナ２２４を介して送信する。
【００７０】
ステップＳ５７では、キャリアセンス制御部２１７Ｂがアンテナ２２６及び受信機２２５を介して周波数ｆ１でキャリアセンスを行う。ステップＳ５８では、キャリア判定部２２２がキャリアセンスで周波数ｆ１のキャリアが検知されたか否かを判定する。ステップＳ５８の判定結果がＹＥＳであると処理はステップＳ５９へ進み、判定結果がＮＯであると処理はステップＳ６０へ進む。ステップＳ５９では、受信処理部２１３８が受信したキャリアに基づいて、他のＲＦＩＤタグ２１Ｃの個数ｎ、ＩＤリスト、役割リスト、タイマ情報を受信すると共に、これらの情報をリスト記憶部２１３２に格納してこれらの情報を更新し、処理は終了する。
【００７１】
ステップＳ６０では、送信タグ確認動作処理部２４２がキャリアカウンタ保持部２４１が保持するキャリアカウンタ値CCnt2が指定回数（例えば、１００回）未満であるか否かを判定し、判定結果がＮＯであると処理は終了する。一方、ステップＳ６０の判定結果がＹＥＳであると処理はステップＳ８であると、ステップＳ６１では、送信タグ確認動作処理部２４２がキャリアカウンタ保持部２４１が保持するキャリアカウンタ値CCnt2をCCnt2++（又は、CCnt2=CCnt2+1）に更新し、処理はステップＳ５７へ戻る。
【００７２】
ステップＳ５１の判定結果がＮＯであると、ステップＳ６２では、送信タグ確認動作処理部２４２が予め設定された時間Ｔｅからタイマ２１９で管理されている時間Ｔｓを減算した差が所定期間（例えば、１０時間）未満であるか否か、即ち、Ｔｅ−Ｔｓ＜１０ｈであるか否かを判定する。ステップＳ６２の処理は、ステップＳ６２の判定結果がＮＯになるまで繰り返される。ステップＳ６２の判定結果がＮＯになると、処理は終了する。
【００７３】
図１６は、第３実施例における送信タグ確認処理を含むＲＦＩＤタグの動作の一例を説明するタイミングチャートである。図１６中、図７及び図９と同一部分には同一符号を付し、その説明は省略する。図１６は、代表のＲＦＩＤタグ２１Ｃ−１が送信タグでありＲＦＩＤタグ２１Ｃ−２，２１Ｃ−３がスリープの状態で同期処理が行われた後、ＲＦＩＤタグ２１Ｃ−２，２１Ｃ−３が定期的（例えば、１時間毎）に送信タグの存在確認のための確認信号を送信する例を示す。この例では、ＲＦＩＤタグ２１Ｃ−１が途中で他のＲＦＩＤタグ２１Ｃ−２，２１Ｃ−３と通信不能となりＲＦＩＤタグ２１Ｃ−１から確認信号に対する返答が得られなくなると、ＲＦＩＤ２１Ｃ−２が自ら送信タグに切り替わる。
【００７４】
図１６において、代表のＲＦＩＤタグ２１Ｃ−１が送信タグでありＲＦＩＤタグ２１Ｃ−２，２１Ｃ−３がスリープの状態で同期処理が行われた後、送信タグ確認処理Confが行われる。送信タグ確認処理Confでは、ＲＦＩＤタグ２１Ｃ−２，２１Ｃ−３が定期的（例えば、１時間毎）に送信タグの存在確認のための確認信号を送信する。図１６中、ｔ３１はＲＦＩＤタグ２１Ｃ−２が確認信号を送信タグであるＲＦＩＤタグ２１Ｃ−１に送信するタイミングを示し、ｔ３２はＲＦＩＤタグ２１Ｃ−１がＲＦＩＤタグ２１Ａ−１，２１Ａ−２，２１Ａ−３のタグＩＤ、役割を含む情報を他のＲＦＩＤタグ２１Ａ−２，２１Ａ−３に送信するタイミングを示す。
【００７５】
この例では、ＲＦＩＤタグ２１Ｃ−１が途中で他のＲＦＩＤタグ２１Ｃ−２，２１Ｃ−３と通信不能となりＲＦＩＤタグ２１Ｃ−１から確認信号に対する返答が得られなくなるので、例えばＲＦＩＤ２１Ｃ−２がＲＦＩＤタグ２１Ｃ−１から返答が得られなくなるｔ３３で示すタイミングでＲＦＩＤタグ２１Ｃ−２が自ら送信タグに切り替わる。その後、同期処理Sync3では、新たに送信タグとなったＲＦＩＤタグ２１Ｃ−２が自身のタグＩＤ、役割を含む情報をｔ３４で示すタイミングでこのＲＦＩＤタグ２１Ｃ−２と通信可能な他のＲＦＩＤタグ２１Ｃ−３に送信する。又、ｔ３５で示すタイミングでは、ＲＦＩＤタグ２１Ｃ−３がＲＦＩＤタグ２１Ｃ−２，２１Ｃ−３のタグＩＤ、役割を含む情報を送信タグとなったＲＦＩＤタグ２１Ｃ−２に送信する。
【００７６】
このように、送信タグ確認処理を行うことで、情報アクセスシステム内の送信タグが他のＲＦＩＤタグと通信不能になっても、他のＲＦＩＤタグと通信可能な任意のＲＦＩＤタグを送信タグとして機能させることで、その後の同期処理でどのＲＦＩＤタグが代表となっても、代表のＲＦＩＤタグが自身と通信可能な他のＲＦＩＤタグの情報を集中管理することができる。
【００７７】
（変形例）
図１７は、ＲＦＩＤタグの構成の他の例を示すブロック図である。図１７に示すＲＦＩＤタグ２１Ｄは、プロセッサ又は制御部（或いは、コントローラ）の一例であるＣＰＵ５０１、記憶部５０２、電池５０３、送信機２２３、受信機２２５、及びアンテナ２２４，２２６を有する。記憶部５０２は、ＣＰＵ５０１が実行するプログラム、及びＣＰＵ５０１が実行する演算の中間データを含む各種データを格納する。記憶部５０２に格納される各種データは、記憶部２１３２，２１３２Ａに格納されるデータ、保持部２１３６，２１３７に保持されるカウンタ値及びフラグ、各フローチャートと共に説明した所定期間、所定時間、一定時間等のパラメータを含んでも良い。電池５０３は、ＣＰＵ５０１を含むＲＦＩＤタグ２１Ｄ内の各部に電力を供給する。送信機２２３、受信機２２５、及びアンテナ２２４，２２６は、Ｒ／Ｗ装置及び他のＲＦＩＤタグと通信を可能とする送受信部の一例を形成する。
【００７８】
記憶部５０２は、コンピュータ読み取り可能な記憶媒体の一例である。コンピュータ読み取り可能な記憶媒体は、一例として、磁気記録媒体、光記録媒体、光磁気記録媒体、ディスクを記録媒体として用いるディスク装置、ＲＯＭ（Read Only Memory）等を含む半導体記憶装置等で形成可能である。ディスクを記録媒体として用いるディスク装置には、例えばＨＤＤ（Hard Disk Drive）が使用可能である。又、記憶部５０２は、複数の記憶装置で形成されていても良く、この場合、例えばＲＡＭとＲＯＭを有しても、アクセス速度の異なる記憶装置を含んでも良い。
【００７９】
記憶部５０２に格納されたプログラムは、ＣＰＵ５０１に上記第１〜第３実施例のいずれかのＲＦＩＤタグ２１Ａ〜２１Ｃが行う処理の手順を実行させるものであっても、ＣＰＵ５０１に上記第１〜第３実施例のいずれかのＲＦＩＤタグ２１Ａ〜２１Ｃの各部（即ち、機能ブロック）の機能を実現させるものであっても良い。
【００８０】
又、タイマ２１９の機能をＣＰＵ５０１で実現せずに、タイマ２１９の機能を実現するタイマ（図示せず）を別途ＣＰＵ５０１に接続した構成としても良い。
【００８１】
（まとめ）
ところで、従来のアクティブ型ＲＦＩＤタグでは、各ＲＦＩＤタグが他のＲＦＩＤタグとは独立にデータの送受信を行うため、無駄な間欠動作（即ち、キャリアセンス）が多く電力消費も比較的大きい。一方、上記第１〜第３の実施例では、いずれも間欠動作（即ち、キャリアセンス）を行うＲＦＩＤタグの個数を最小限に抑えることができるので、消費電力を低減可能である。同期処理にもよるが、任意のＲＦＩＤと通信可能なＲＦＩＤタグが周囲にｎ個存在すると、各実施例における各ＲＦＩＤタグの消費電力は従来の場合と比較すると約１／ｎ程度に抑えることができる。
【００８２】
Ｒ／Ｗ装置と複数のＲＦＩＤタグがデータの送受信を行う場合、上記各実施例ではＲＦＩＤタグ同士が送信する電波の衝突は発生しにくいため、スムーズな通信が可能となる。又、ＲＦＩＤタグ間では事前にタグＩＤ、センサログ等の交換を行っているために、従来の場合と比較するとＲ／Ｗ装置は各ＲＦＩＤタグのデータを欠落なくより確実に取得することができる。
【００８３】
従来のアクティブ型ＲＦＩＤタグの一例の消費エネルギーと、上記各実施例におけるアクティブ型ＲＦＩＤタグの消費エネルギーは、次のように求めることができる。ここで、Tは経過時間、Nは情報アクセスシステム内のＲＦＩＤタグの個数、DCTは各ＲＦＩＤタグのキャリアセンス間隔、STは上記各実施例において同期処理が行われる同期時間、SN=T/STは同期処理が行われる同期回数、ESは同期処理時の各ＲＦＩＤタグの消費エネルギー、CT=T/86400, 1(h)=86400(s(秒))は各ＲＦＩＤタグの送信頻度（例えば、１日１回）、CR=T/86400, 1(h)=86400(s(秒))は各ＲＦＩＤタグの受信頻度（例えば、１日１回）を示す。又、EXは同期処理時にＲ／Ｗ装置からの周波数ｆ１のキャリアセンスを行わないことで各ＲＦＩＤタグが節約できる消費エネルギーを示す。又、dtCは各ＲＦＩＤタグの１回のキャリアセンスの時間、αはキャリアセンス時の各ＲＦＩＤタグの消費電力、dtTは各ＲＦＩＤタグの１回の送信の時間、βは送信時の各ＲＦＩＤタグの消費電力、γは各ＲＦＩＤタグの１回の受信の時間、dtRは受信時の各ＲＦＩＤタグの消費電力を示す。
【００８４】
各ＲＦＩＤタグが他のＲＦＩＤタグとは独立に動作する従来のアクティブ型ＲＦＩＤタグの一例の場合、１個のＲＦＩＤタグのエネルギー消費Enormalは以下の式で表すことができる。
【００８５】
Enormal=2T/DCT×αdtC+βdtTCT+γdtRCR
=｛2αdtC/DCT+(βdtT+γdtR)/86400｝T
=PnormalT
【００８６】
一方、ＲＦＩＤタグが上記各実施例のように同期処理を行う場合の１個のＲＦＩＤタグのエネルギー消費Esyncは以下の式で表すことができる。
【００８７】
Esync=2T/NDCT×αdtC+SN×(ES-EX)+βdtTCT+γdtRCR
=[{2αdtC/DCT+(βdtT+γdtR)/86400}/N+{ES-EX}/ST]T
={Pnormal/N+(ES-EX)/ST}T
【００８８】
エネルギー消費Enormal, Esyncの比較からもわかるように、上記各実施例におけるＲＦＩＤタグのエネルギー消費は、各ＲＦＩＤタグが他のＲＦＩＤタグとは独立に動作する従来のアクティブ型ＲＦＩＤタグの一例のエネルギー消費より小さくすることが可能となる。
【００８９】
尚、Ｒ／Ｗ装置がＲＦＩＤタグに書き込みデータを書き込む場合には、代表のＲＦＩＤタグに書き込み先のＲＦＩＤタグのタグＩＤと共に書き込んでも良い。この場合、代表のＲＦＩＤタグは、次の同期処理時に他のスリープのＲＦＩＤタグにタグＩＤや役割の情報を送信する際に、書き込み先のＲＦＩＤタグのタグＩＤと書き込みデータを送信しても良い。書き込み先のＲＦＩＤタグでは、自身のＩＤタグが代表のＲＦＩＤタグから受信したタグＩＤと一致すれば受信した書き込みデータをＲＦＩＤタグ内の記憶部に格納できる。
【００９０】
以上の実施例を含む実施形態に関し、更に以下の付記を開示する。
（付記１）
自装置と他装置の識別情報及びモード情報を格納する記憶部と、
外部と通信する送受信部と、
前記記憶部に格納された識別情報及びモード情報に基づいて、同期処理時に第１のモード又は第２のモードで前記送受信部を介して前記他装置と通信する制御部を備え、
前記第１のモードでは、前記制御部は前記記憶部内の前記自装置と前記他装置の識別情報及びモード情報を前記送受信部を介して前記他装置へ送信すると共に、前記他装置からの識別情報及びモード情報を前記送受信部を介して受信して前記記憶部に格納し、前記同期処理後は外部読み取り装置からの第１の信号を検知する第１の検知期間と前記他装置からの第２の信号を検知する第２の検知期間とを定期的に繰り返し、
前記第２のモードでは、前記制御部は前記他装置からの識別情報及びモード情報を前記送受信部を介して受信して前記記憶部に格納すると共に、前記記憶部内の前記自装置と前記他装置の識別情報及びモード情報を前記送受信部を介して前記他装置へ送信し、前記同期処理後は信号検知期間を含まない省電力状態となることを特徴とする、アクティブ型非接触情報記憶装置。
（付記２）
前記制御部は、前記第１のモードでは前記第１の検知期間で前記第１の信号を検知すると、前記記憶部に格納された前記自装置と前記他装置の識別情報及びモード情報を前記送受信部を介して前記外部読み取り装置へ一括送信することを特徴とする、付記１記載のアクティブ型非接触情報記憶装置。
（付記３）
前記制御部は、前記第１のモードでは前記同期処理後に新たな他装置が自装置と通信可能になると臨時同期処理を行い、前記新たな他装置の識別情報及びモード情報を前記送受信部を介して受信して前記記憶部に格納して前記記憶部内の情報を更新すると共に、更新された情報を前記送受信部を介して前記新たな他装置へ送信し、その後に前記第１及び第２の検知期間を定期的に繰り返すことを特徴とする、付記１又は２記載のアクティブ型非接触情報記憶装置。
（付記４）
前記制御部は、前記第２のモードでは前記同期処理後に定期的に前記第１のモードの他装置の存在確認のための確認信号を前記送受信部を介して送信する確認処理を行い、前記第１のモードの他の装置から前記確認信号に対する返答が得られなくなると前記自装置を前記第１のモードに切り替えることを特徴とする、付記１乃至３のいずれか１項記載のアクティブ型非接触情報記憶装置。
（付記５）
前記自装置の環境パラメータを検知するセンサを更に備え、
前記制御部は、前記環境パラメータを前記自装置の識別情報及び時間情報に関連付けて前記記憶部に格納することを特徴とする、付記１乃至４のいずれか１項記載のアクティブ型非接触情報記憶装置。
（付記６）
前記制御部は、前記自装置と通信可能な前記他装置の個数を、前記他装置から受信した情報に基づいて前記記憶部に格納することを特徴とする、付記１乃至５のいずれか１項記載のアクティブ型非接触情報記憶装置。
（付記７）
第１の信号を連続的に送信すると共に、第２の信号を連続的に受信可能な受信待ち状態をとる外部読み取り装置と、
前記外部読み取り装置の通信可能範囲内で前記外部読み取り装置と通信可能な複数のアクティブ型非接触情報記憶装置を含む情報アクセスシステムであって、
各アクティブ型非接触情報記憶装置は、自装置の記憶部に格納された識別情報及びモード情報に基づいて、同期処理時に第１のモード又は第２のモードで他装置と通信する制御部を備え、
前記第１のモードでは、前記制御部は前記記憶部内の前記自装置と前記他装置の識別情報及びモード情報を前記他装置へ送信すると共に、前記他装置からの識別情報及びモード情報を受信して前記記憶部に格納し、前記同期処理後は前記外部読み取り装置からの第１の信号を検知する第１の検知期間と前記他装置からの第２の信号を検知する第２の検知期間とを定期的に繰り返し、
前記外部読み取り装置が送信した前記第１の信号を前記第１のモードのアクティブ型非接触情報記憶装置の制御部が前記第１の検知期間で検知すると、前記外部読み取り装置は当該アクティブ型非接触情報記憶装置の記憶部に格納され一括送信されてくる自装置と他装置の識別情報及びモード情報を含む第２の信号を受信することを特徴とする、情報アクセスシステム。
（付記８）
前記第２のモードでは、前記アクティブ型非接触情報記憶装置の前記制御部は前記他装置からの識別情報及びモード情報を受信して前記記憶部に格納すると共に、前記記憶部内の前記自装置と前記他装置の識別情報及びモード情報を前記他装置へ送信し、前記同期処理後は信号検知期間を含まない省電力状態となることを特徴とする、情報アクセスシステム。
（付記９）
前記アクティブ型非接触情報記憶装置は、自装置の環境パラメータを検知するセンサを更に備え、前記制御部は前記環境パラメータを前記自装置の識別情報及び時間情報に関連付けて前記記憶部に格納し、
前記外部読み取り装置は、前記第１の信号に応答して前記アクティブ型非接触情報記憶装置の前記記憶部に格納され一括送信されてくる前記環境パラメータを含む第２の信号を受信することを特徴とする、付記７又は８記載の情報アクセスシステム。
（付記１０）
コンピュータに、記憶部を有するアクティブ型非接触情報記憶装置の処理を実行させるプログラムであって、
前記記憶部に格納された自装置と他装置の識別情報及びモード情報に基づいて、同期処理時に第１のモード又は第２のモードで前記他装置と通信する手順と、
前記第１のモードでは、前記記憶部内の前記自装置と前記他装置の識別情報及びモード情報を前記他装置へ送信すると共に、前記他装置からの識別情報及びモード情報を受信して前記記憶部に格納し、前記同期処理後は外部読み取り装置からの第１の信号を検知する第１の検知期間と前記他装置からの第２の信号を検知する第２の検知期間とを定期的に繰り返す手順と、
前記第２のモードでは、前記制御部は前記他装置からの識別情報及びモード情報を受信して前記記憶部に格納すると共に、前記記憶部内の前記自装置と前記他装置の識別情報及びモード情報を前記他装置へ送信し、前記同期処理後は信号検知期間を含まない省電力状態となる手順
を前記コンピュータに実行させることを特徴とする、プログラム。
（付記１１）
前記第１のモードでは、前記第１の検知期間で前記第１の信号を検知すると、前記記憶部に格納された前記自装置と前記他装置の識別情報及びモード情報を前記外部読み取り装置へ一括送信する手順を前記コンピュータに更に実行させることを特徴とする、付記１０記載のプログラム。
（付記１２）
前記第１のモードでは、前記同期処理後に新たな他装置が自装置と通信可能になると臨時同期処理を行い、前記新たな他装置の識別情報及びモード情報を受信して前記記憶部に格納して前記記憶部内の情報を更新すると共に、更新された情報を前記新たな他装置へ送信し、その後に前記第１及び第２の検知期間を定期的に繰り返す手順を前記コンピュータに更に実行させることを特徴とする、付記１０又は１１記載のプログラム。
（付記１３）
前記第２のモードでは、前記同期処理後に定期的に前記第１のモードの他装置の存在確認のための確認信号を送信する確認処理を行い、前記第１のモードの他の装置から前記確認信号に対する返答が得られなくなると前記自装置を前記第１のモードに切り替える手順を前記コンピュータに更に実行させることを特徴とする、付記１０乃至１２のいずれか１項記載のプログラム。
（付記１４）
センサにより検知された前記自装置の環境パラメータを前記自装置の識別情報及び時間情報に関連付けて前記記憶部に格納する手順を前記コンピュータに更に実行させることを特徴とする、付記１０乃至１３のいずれか１項記載のプログラム。
（付記１５）
前記自装置と通信可能な前記他装置の個数を、前記他装置から受信した情報に基づいて前記記憶部に格納する手順を前記コンピュータに更に実行させることを特徴とする、付記１０乃至１４のいずれか１項記載のプログラム。
【００９１】
以上、開示のアクティブ型非接触情報記憶装置、情報アクセスシステム及びプログラムを実施例により説明したが、本発明は上記実施例に限定されるものではなく、本発明の範囲内で種々の変形及び改良が可能であることは言うまでもない。
【符号の説明】
【００９２】
１１      Ｒ／Ｗ装置
２１Ａ〜２１Ｄ      ＲＦＩＤタグ
１１１      命令解釈部
１１２      コマンド生成部
１１５      記憶部
１１６      コマンド処理部
２１１      電池
２１２      電源オン／オフスイッチ
２１３      同期処理部
２１４      送信動作処理部
２１５      タグ向けデータ生成部
２１６      Ｒ／Ｗ向けデータ生成部
２１７      キャリアセンス制御部
２１８      動作制御部
２１９      タイマ
２２０      スリープ動作処理部
２２１      コマンド処理部
２２２      キャリア判定部
【図１】
0005644427.tif 000002
【図２】
0005644427.tif 000003
【図３】
0005644427.tif 000004
【図４】
0005644427.tif 000005
【図５】
0005644427.tif 000006
【図６】
0005644427.tif 000007
【図７】
0005644427.tif 000008
【図８】
0005644427.tif 000009
【図９】
0005644427.tif 000010
【図１０】
0005644427.tif 000011
【図１１】
0005644427.tif 000012
【図１２】
0005644427.tif 000013
【図１３】
0005644427.tif 000014
【図１４】
0005644427.tif 000015
【図１５】
0005644427.tif 000016
【図１６】
0005644427.tif 000017
【図１７】
0005644427.tif 000018